(57)【要約】【課題】検知の応答性能を向上することのできる表示装置を提供する。【解決手段】マトリクス状に配置された表示画素ＰＸと容量結合の強弱を検出するセンサ回路１２とを有する表示装置において、第１の方向に延在して、複数の前記表示画素を一括して選択する複数の走査線ＧＬと、第１の方向に延在して、複数の前記センサ回路を一括して動作させる複数の検知制御線（ＰＧ、ＣＰＬ、ＲＧ）と、前記第１の方向に直交する第２の方向に前記表示画素を順次選択する走査線駆動回路ＹＤと、前記センサ回路を前記第２の方向に順次動作させるセンサ駆動回路Ｙと、前記走査線駆動回路とセンサ駆動回路とが出力する前記信号のタイミングを制御するタイミングコントローラＴＣＯＮとを有し、前記センサ駆動回路は、奇数行に配された前記センサ回路を駆動する第１の回路と偶数行に配された前記センサ回路を駆動する第２の回路とをそれぞれ独立して動作可能になされている表示装置である。【選択図】図１
2014010762.tif 000002
【特許請求の範囲】
【請求項１】
表示領域内にマトリクス状に配置された表示画素と、前記表示領域に接触した誘電体による容量結合の強弱を検出するセンサ回路とを有する表示装置において、
第１の方向に延在して、前記第１の方向に配列した複数の前記表示画素を一括して選択する複数の走査線と、
第１の方向に延在して、前記第１の方向に配列した複数の前記センサ回路を一括して動作させる複数の検知制御線と、
前記第１の方向に直交する第２の方向に前記表示画素を順次選択する信号を前記走査線に出力する走査線駆動回路と、
前記センサ回路を前記第２の方向に順次動作させる信号を前記検知制御線に出力するセンサ駆動回路と、
前記走査線駆動回路とセンサ駆動回路とが出力する前記信号のタイミングを制御するタイミングコントローラとを有し、
前記センサ駆動回路は、奇数行に配された前記センサ回路を駆動する第１の回路と偶数行に配された前記センサ回路を駆動する第２の回路とをそれぞれ独立して動作可能になされている、表示装置。
【請求項２】
前記センサ回路は、前記第１の方向と第２の方向とをそれぞれ所定数の前記表示画素で構成するブロックごとに一つ設けられる、請求項１に記載の表示装置。
【請求項３】
前記タイミングコントローラは、
前記第１の方向に配列した複数の前記ブロックであるブロック行ごとに前記走査線駆動回路とセンサ駆動回路とを駆動して、所定の処理期間において、前記表示画素の選択動作と前記センサ回路の駆動動作とを制御する、請求項２に記載の表示装置。
【請求項４】
前記タイミングコントローラは、
前記所定の処理期間において、当該ブロック行の前記表示画素の選択動作と当該ブロック行の前記センサ回路の駆動動作とを制御する、請求項３に記載の表示装置。
【請求項５】
前記タイミングコントローラは、
前記所定の処理期間において、当該ブロック行の前記表示画素の選択動作と、他のブロック行の前記センサ回路の駆動動作とを制御し、
前記他のブロック行は、当該ブロック行数から所定の演算で定められる、請求項３に記載の表示装置。
【請求項６】
前記タイミングコントローラは、
前記所定の処理期間において、当該ブロック行の前記表示画素の選択動作と、複数のブロック行の前記センサ回路の駆動動作とを制御し、
前記複数のブロック行は、当該ブロック行数から所定の演算で定められる、請求項３に記載の表示装置。
【請求項７】
前記複数のブロック行は、隣接するブロック行である、請求項６に記載の表示装置。
【請求項８】
前記複数の前記センサ回路の駆動動作は同一タイミングで実行される、請求項６に記載の表示装置。
【請求項９】
前記複数の前記センサ回路の駆動動作は所定時間間隔で順次実行される、請求項６に記載の表示装置。
【請求項１０】
前記所定の処理期間において、当該ブロック行の前記表示画素の選択動作と当該ブロック行の前記センサ回路の駆動動作とを制御する第１の制御モードと、
前記所定の処理期間において、当該ブロック行の前記表示画素の選択動作と、複数のブロック行の前記センサ回路の駆動動作とを制御する第２の制御モードとを
切替可能になされる、請求項３に記載の表示装置。
【請求項１１】
前記所定の処理期間における、前記表示画素の選択動作期間が、前記センサ回路の駆動動作期間よりも長い、請求項３に記載の表示装置。
【発明の詳細な説明】
【技術分野】
【０００１】
本発明の実施形態は、表示装置に関する。
【背景技術】
【０００２】
ユーザインタフェースの形としてタッチパネル機能を具備した表示装置を搭載した携帯電話や携帯情報端末、パーソナルコンピュータなどの電子機器が開発されている。このようなタッチパネルで指の接触を検知する技術として、種々の方式が提案されている。
【０００３】
抵抗膜を用いて位置を検出する方式のタッチパネルは、一般には、抵抗膜を貼り付けた板を表示部に重複配置して構成されている。表示画面上の位置と、実際に触れている抵抗膜からの位置情報とを組み合わせて処理することで、画面上のボタンに接触したなどを検知することができる。この抵抗膜を用いる方式は、比較的精細度の低い表示装置に適用されている。
【０００４】
静電容量の変化を用いて位置を検出する方式のタッチパネルは、透明導電膜など、容量を形成する薄膜を配した基板を、前記、抵抗膜方式と同様に配置して構成されている。この静電容量の変化を用いる方式は、より精細度の高い表示装置に対応できる方式として、小型の表示装置類に多く適用されている。
【０００５】
一方、接触検知機能を表示装置に内蔵する提案も数多くなされている。たとえば、表示装置への接触による変形を静電容量の変化で検出する方法（特許文献１）、光センサを表示装置に内蔵して接触検知する方法（特許文献２）などが提示されている。
【先行技術文献】
【特許文献】
【０００６】
【特許文献１】特開２００６−４０２８９号公報
【特許文献２】特開２０１０−２７２９２号公報
【発明の概要】
【発明が解決しようとする課題】
【０００７】
ところで接触検知装置を内蔵する表示装置では、高精度の位置検出を実現しようとして、画素数分ないし画素数に近い数の、多数の接触検知装置を設けることが考えられる。センサ回路の出力信号を外部に取り出すため、画像表示と同様にマトリクス状にセンサ回路（検出回路）を配列して、行ごとに順次選択走査を実行する。また、表示用に画像信号を書き込む信号線とセンサ回路で検出した出力用の信号線とを共用する構成の表示回路では、画像書込み動作と同期するために、表示と同様の周期で検知用の画面走査をすることが必要になる。
【０００８】
一方、検知装置として画素精度での位置検出が必要でない場合がある。たとえば、指が触れたことを検出するための検知装置であれば、画素精度での位置検出は必ずしも必要でない。また、センサ回路はある数の画素ブロックに対して、一つ配置するなどの構成により数量を抑制し、検出値を補間することでセンサ間の位置を推定する方法もある。このような方法を適用することで、たとえば、画素数に対し１／１０〜１／２０程度まで素子数を削減することも可能である。しかし、このようにセンサ回路数を減少した構成であっても、画像書込み動作と同期するために、表示と同様の周期で検知用の画面走査が行われることになる。
【０００９】
このように、従来のセンサ回路の駆動方法では、表示と同様の周期で検知のための画面走査が実行されていた。しかしながら、表示走査は多くの場合６０ＦＰＳ程度であることから、検知動作もこの表示走査の周期で律速されてしまう。そのため、すばやい検知応答が必要な用途であっても、検知の応答性能が制限される可能性があった。
【００１０】
本願発明は係る事情に鑑みてなされたものであって、検知の応答性能を向上することのできる表示装置を提供することを目的とする。
【課題を解決するための手段】
【００１１】
本発明の一態様による表示装置は、表示領域内にマトリクス状に配置された表示画素と、前記表示領域に接触した誘電体による容量結合の強弱を検出するセンサ回路とを有する表示装置において、第１の方向に延在して、前記第１の方向に配列した複数の前記表示画素を一括して選択する複数の走査線と、第１の方向に延在して、前記第１の方向に配列した複数の前記センサ回路を一括して動作させる複数の検知制御線と、前記第１の方向に直交する第２の方向に前記表示画素を順次選択する信号を前記走査線に出力する走査線駆動回路と、前記センサ回路を前記第２の方向に順次動作させる信号を前記検知制御線に出力するセンサ駆動回路と、前記走査線駆動回路とセンサ駆動回路とが出力する前記信号のタイミングを制御するタイミングコントローラとを有し、前記センサ駆動回路は、奇数行に配された前記センサ回路を駆動する第１の回路と偶数行に配された前記センサ回路を駆動する第２の回路とをそれぞれ独立して動作可能になされている表示装置である。
【図面の簡単な説明】
【００１２】
【図１】本実施の形態の表示装置の構成を示す概略の平面図。
【図２】本実施の形態におけるセンサ回路の等価回路を示す図。
【図３】本実施形態に係る表示装置の駆動方法の一例を説明するためのタイミングチャート。
【図４】本実施形態に係る表示装置の基本回路ブロックを示す図。
【図５】本実施形態に係る表示装置のセンサ回路ブロックを示す図。
【図６】本実施形態に係る表示装置の表示部と出力回路部との構成を示す図。
【図７】本実施形態に係る表示装置の表示期間と検知期間の配分を示す図。
【図８】本実施形態に係る表示装置のセンサ駆動回路の構成を示す図。
【図９】本実施形態に係る表示装置の表示走査と検知走査の方法を説明するための図。
【図１０】本実施形態に係る表示装置のセンサ駆動回路の動作を示すタイムチャート。
【図１１】本実施形態に係る表示装置の表示と検知動作を示すタイミングチャート。
【図１２】本実施形態に係る表示装置のバリエーションの表示走査と検知走査の方法を説明するための図。
【図１３】本実施形態に係る表示装置のバリエーションのセンサ駆動回路の動作を示すタイムチャート。
【図１４】本実施形態のバリエーションに係る表示装置の表示と検知動作を示すタイミングチャート。
【図１５】本実施形態に係る表示装置のバリエーションの表示走査と検知走査の方法を説明するための図。
【図１６】本実施形態に係る表示装置のバリエーションのセンサ駆動回路の動作を示すタイムチャート。
【図１７】本実施形態のバリエーションに係る表示装置の表示と検知動作を示すタイミングチャート。
【図１８】本実施形態に係る表示装置のバリエーションの表示走査と検知走査の方法を説明するための図。
【図１９】本実施形態に係る表示装置のバリエーションのセンサ駆動回路の動作を示すタイムチャート。
【図２０】本実施形態のバリエーションに係る表示装置の表示と検知動作を示すタイミングチャート。
【発明を実施するための形態】
【００１３】
以下、本発明の一実施形態に係る表示装置および表示装置の駆動方法について、図面を参照して説明する。
【００１４】
図１は、本実施の形態の表示装置の構成を示す概略の平面図である。  
本実施形態に係る表示装置１は、液晶表示パネルＰＮＬ、及び回路基板６０を備えている。液晶表示パネルＰＮＬの端部には、フレキシブル基板ＦＣ１、ＦＣ２の一端が電気的に接続されている。フレキシブル基板ＦＣ１、ＦＣ２の他端には回路基板６０が電気的に接続されている。
【００１５】
液晶表示パネルＰＮＬは、マトリクス状に配置された複数の画素からなる表示部ＤＹＰと、表示部ＤＹＰの周囲に配置された走査線駆動回路ＹＤと信号線駆動回路ＸＤとセンサ駆動回路Ｙと、を備えている。そして、回路基板６０は、表示装置の表示動作を制御すると共に、液晶表示パネルＰＮＬに設けられたセンサ回路（後述する）を制御する。即ち、回路基板６０は、外部信号源ＳＳから取得した映像信号を液晶表示パネルＰＮＬに出力する。また回路基板６０は、センサ回路を動作させる信号を供給するとともに、センサ回路から取得した出力信号を制御部６５へ出力する。
【００１６】
続いて、図１に示す表示装置について詳細に説明する。
【００１７】
液晶表示パネルＰＮＬは、一対の電極基板であるアレイ基板および対向基板間に液晶層ＬＱを挟持した構造である。アレイ基板に設けられた画素電極ＰＥおよび対向基板に設けられた共通電極ＣＥから液晶層ＬＱに印加される液晶駆動電圧により液晶表示パネルＰＮＬの透過率が制御される。
【００１８】
アレイ基板では、複数の画素電極ＰＥが透明絶縁基板（不図示）上において略マトリクス状に配置される。また、複数のゲート線ＧＬが複数の画素電極ＰＥの行に沿って配置され、複数の信号線ＳＬが複数の画素電極ＰＥの列に沿って配置される。
【００１９】
各画素電極ＰＥおよび共通電極ＣＥは例えばＩＴＯ（Indium Tin Oxide）等の透明電極材料からなり、画素電極ＰＥおよび共通電極ＣＥは液晶層ＬＱの一部である画素領域と共に液晶画素ＰＸを構成する。
【００２０】
ゲート線ＧＬおよび信号線ＳＬの交差位置近傍には、複数の画素スイッチＳＷＰが配置される。各画素スイッチＳＷＰは、例えば薄膜トランジスタ（ＴＦＴ : Thin Film Transistor）であって、ゲートがゲート線ＧＬに接続され、ソース−ドレインパスが信号線ＳＬおよび画素電極ＰＥ間に接続され、対応ゲート線ＧＬを介して駆動されたときに対応信号線ＳＬおよび対応画素電極ＰＥ間で導通する。
【００２１】
更に、アレイ基板には、センサ回路１２が設けられ、このセンサ回路１２を駆動するためのカップリングパルス線ＣＰＬ、プリチャージゲート線ＰＧ、および、読み出しゲート線ＲＧが、複数の画素電極ＰＥの行に沿って配置される。  
なお、本実施形態では、信号線ＳＬは、センサ回路１２を駆動する信号を供給するプリチャージ線ＰＲＬ、および、読み出し線ＲＯＬとしても用いられる。この詳細の動作については後述する。
【００２２】
走査線駆動回路ＹＤは、複数のゲート線ＧＬに画素スイッチＳＷＰをオンする（ソース−ドレインパスを導通させる）ためのゲート電圧を供給して、ゲート線ＧＬを順次駆動する。また、センサ駆動回路Ｙは、複数のカップリングパルス線ＣＰＬ、複数のプリチャージゲート線ＰＧおよび複数の読み出しゲート線ＲＧを所定のタイミングで駆動して、センサ回路１２を駆動させる。
【００２３】
信号線駆動回路ＸＤは、ソース−ドレインパスが導通した画素スイッチＳＷＰを介して、信号線ＳＬから画素電極ＰＥへ映像信号を供給する。
【００２４】
回路基板６０は、出力回路部ＯＣＴ、入力回路部ＩＣＴ、Ｄ／Ａ変換部ＤＡＣ、Ａ／Ｄ変換部ＡＤＣ、インタフェース部Ｉ／Ｆ、及びタイミングコントローラＴＣＯＮを備えている。
【００２５】
タイミングコントローラＴＣＯＮは、回路基板６０に搭載される各部の動作、走査線駆動回路ＹＤ、センサ駆動回路Ｙ、信号線駆動回路ＸＤ、共通電極駆動回路及びセンサ回路１２の動作を制御する。
【００２６】
外部信号源ＳＳからインタフェース部Ｉ／Ｆを介して取り込まれたデジタル映像信号は、Ｄ／Ａ変換部ＤＡＣによってアナログ信号に変換され、所定のタイミングで入力回路部ＩＣＴにより信号線ＳＬに出力される。
【００２７】
センサ回路１２からの出力信号は、出力回路部ＯＣＴにより所定のタイミングでＡ／Ｄ変換部ＡＤＣへ供給され、デジタル信号に変換されて、インタフェース部Ｉ／Ｆに供給される。インタフェース部Ｉ／Ｆは、受信したデジタル信号を制御部６５へ出力する。制御部６５は、受信したデジタル信号により座標計算を行なって、指先やペン先等が接触した座標位置を検出する。
【００２８】
図２は、本実施の形態におけるセンサ回路１２の等価回路を示す図である。  
センサ回路１２は、検知電極１２Ｅ、プリチャージ線ＰＲＬ、読み出し線ＲＯＬ、プリチャージゲート線ＰＧ、カップリングパルス線ＣＰＬ、読み出しゲート線ＲＧ、プリチャージスイッチＳＷＡ、カップリング容量Ｃ１、増幅用スイッチＳＷＢ、および、読み出し用スイッチＳＷＣを備えている。
【００２９】
検知電極１２Ｅは、接触体の有無による検知容量の変化を検出する。プリチャージ線ＰＲＬは、検知電極１２Ｅにプリチャージ電圧を供給する。読み出し線ＲＯＬは、検知電極１２Ｅの電圧を取り出す。プリチャージゲート線ＰＧ、カップリングパルス線ＣＰＬ、読み出しゲート線ＲＧは、センサ回路１２の動作を駆動するための信号を供給する。
【００３０】
プリチャージスイッチＳＷＡは、プリチャージ電圧を検知電極１２Ｅへ書き込み、かつ保持するためのスイッチである。カップリング容量Ｃ１は、検知電極１２Ｅに検知容量の変化による電圧差を生じさせる。増幅用スイッチＳＷＢは、検知電極１２Ｅに生じた電圧差を増幅するためのスイッチである。読み出し用スイッチＳＷＣは、増幅された電圧差を読み出し線ＲＯＬへ出力し、かつ保持するためのスイッチである。
【００３１】
プリチャージ線ＰＲＬ、および、読み出し線ＲＯＬは信号線ＳＬと共通の配線を用いている。なお、センサ回路１２は複数の画素ＰＸに対して１つ配置されるため、信号線ＳＬの一部が共用されることになる。
【００３２】
プリチャージスイッチＳＷＡは例えばｐ型の薄膜トランジスタであって、ゲート電極がプリチャージゲート線ＰＧと電気的に接続され（あるいは一体に構成され）、ソース電極がプリチャージ線ＰＲＬと電気的に接続され（あるいは一体に構成され）、ドレイン電極が検知電極１２Ｅと電気的に接続され（あるいは一体に構成され）ている。
【００３３】
増幅用スイッチＳＷＢは例えばｐ型の薄膜トランジスタであって、ゲート電極が検知電極１２Ｅと電気的に接続され（あるいは一体に構成され）、ソース電極がカップリングパルス線ＣＰＬと電気的に接続され（あるいは一体に構成され）、ドレイン電極が読み出し用スイッチＳＷＣのソース電極と電気的に接続され（あるいは一体に構成され）ている。
【００３４】
読み出し用スイッチＳＷＣは例えばｐ型の薄膜トランジスタであって、ゲート電極が読み出しゲート線ＲＧと電気的に接続され（あるいは一体に構成され）、ソース電極が増幅用スイッチＳＷＢのドレイン電極と電気的に接続され（あるいは一体に構成され）、ドレイン電極が読み出し線ＲＯＬと電気的に接続され（あるいは一体に構成され）ている。
【００３５】
図３は、本実施形態に係る表示装置１の駆動方法の一例を説明するためのタイミングチャートである。
【００３６】
プリチャージゲート線駆動波形（プリチャージゲート信号波形）は、プリチャージゲート線ＰＧに印加され、プリチャージ用スイッチＳＷＡのゲ−ト電極端子に入力される。この結果、プリチャージパルスがオンレベル（ローレベル）のタイミングでプリチャージ線ＰＲＬからプリチャージ電圧Ｖｐｒｃがプリチャージ用スイッチＳＷＡを通じて検知電極１２Ｅに書き込まれる。
【００３７】
カップリングパルス線駆動波形は、カップリングパルス線ＣＰＬに印加され、カップリング容量Ｃ１を介して接触体の有無により検知電極１２Ｅの電位を変動させる。検知電極電位波形は検知電極１２Ｅの電位変動を示したものであり、検知電極電位(指なし)と、検知電極電位(指あり)との間に電圧差を生じさせることができる。
【００３８】
増幅用スイッチＳＷＢのゲート−ソース（ＧＳ）間電圧波形は検知電極１２Ｅで生じた電圧差が増幅用スイッチＳＷＢの動作点の差に反映されることを示している。ゲート−ソース（ＧＳ）間電圧(指なし)とゲート−ソース（ＧＳ）間電圧(指あり)とで電圧差が生じる。読み出しゲート線駆動波形は、読み出しゲート線ＲＧに印加され、読み出し用スイッチＳＷＣのゲ−ト電極端子に入力される。
【００３９】
この結果、読み出しゲート線ＲＧに印加されたパルスがオンレベルのタイミングでカップリングパルスの変動後の電位が増幅用スイッチＳＷＢ、および読み出し用スイッチＳＷＣを介して読み出し線ＲＯＬに出力される。読出し線ＲＯＬに出力される電圧波形はこの電圧変動を示したものであり、出力電圧(指あり)と出力電圧(指なし)との間には電圧差が生じる。
【００４０】
センサ回路１２を駆動する場合、まず、タイミングコントローラＴＣＯＮはセンサ駆動回路Ｙを制御して、プリチャージゲート線ＰＧに印加する電圧をロー（Ｌ）レベルにしてプリチャージスイッチＳＷＡをオンさせる。タイミングコントローラＴＣＯＮは信号線駆動回路ＸＤを制御してプリチャージ線ＰＲＬにプリチャージ電圧を印加して、スイッチＳＷＡを介して検知電極１２Ｅにプリチャージ電圧を印加する。
【００４１】
次に、タイミングコントローラＴＣＯＮは、プリチャージスイッチＳＷＡをオフさせた後、センサ駆動回路Ｙを制御して、カップリングパルス線ＣＰＬをハイ（Ｈ）レベルとする。カップリングパルスがローレベルからハイレベルへ変化すると、カップリング容量Ｃ１により検知電極１２Ｅの電位に電圧が重畳される。このとき、検知電極１２Ｅに重畳される電圧の大きさは、検知電極１２Ｅと接触体との間の容量によって異なる。
【００４２】
例えば、検知電極１２Ｅの上方の対向基板２０に指やペン先等が接触している場合には、検知電極１２Ｅと指との間に容量が生じる。検知電極１２Ｅの上方において指先やペン先等が接触している場合には、指先やペン先等が無い場合と比較して検知電極１２Ｅに重畳される電圧の大きさが小さくなる。
【００４３】
検知電極１２Ｅの電位に応じて、増幅用スイッチＳＷＢのオン抵抗が異なる。本実施形態では、検知電極１２Ｅの上方において指先やペン先等が接触している場合には増幅用スイッチＳＷＢのオン抵抗が低下し、検知電極１２Ｅの上方において指先やペン先等が接触していない場合には増幅用スイッチＳＷＢのオン抵抗が比較的高くなる。
【００４４】
次に、タイミングコントローラＴＣＯＮはセンサ駆動回路Ｙを制御して、読み出しゲート線ＲＧの電圧をローレベルとして読み出し用スイッチＳＷＣをオンさせる。検知電極１２Ｅの上方において指先やペン先等が接触している場合には、読み出し用スイッチＳＷＣがオンすると、増幅用スイッチＳＷＢおよび読み出し用スイッチＳＷＣを介してカップリングパルスが読み出し線ＲＯＬへ供給される方向に働く。
【００４５】
したがって、指先やペン先等が接触している場合には、読み出し線ＲＯＬの電位がカップリングパルス電位に向かって変化する。指先やペン先等が接触していない場合には、指先やペン先等が接触している場合よりも読み出し線ＲＯＬの電位の変化が小さくなる。
【００４６】
そこで、読み出しゲート線ＲＧがオンしてからの出力期間Ｔｒｅａｄ経過時での出力電圧(指あり)と出力電圧(指なし)との出力電圧差を検出することにより指先やペン先等が接触している位置を検出することが可能となる。
【００４７】
図４は、本実施形態に係る表示装置１の基本回路ブロックを示す図である。基本回路ブロックは、１画素に相当するＲＧＢ画素と１つのセンサ回路とで構成される。なお、ＲＧＢ画素のそれぞれの構成要素の参照符号には−Ｒ、−Ｇ，−Ｂを付して識別している。この基本回路ブロックを「回路ブロックＡ」と呼ぶ。
【００４８】
図４の回路ブロックＡでは、ＲＧＢ画素の間にセンサ回路が設けられているが、これは一例であり、図１に示すようにＲＧＢ画素の行と行との間のＢＭ（Black Matrix）に相当する部分にセンサ回路を設けても良い。また、図４の回路ブロックＡは、読み出し線ＲＯＬ、及びプリチャージ線ＰＲＬを専用で設けているが、図２に示すように、ＲＧＢ画素のいずれかの信号線ＳＬを切替スイッチを介して共用するようにしても良い。
【００４９】
なお、図４の「回路ブロックＡ」からセンサ回路およびセンサ回路を駆動する信号線を除いた回路ブロック、即ち、通常の画素を表すＲＧＢ画素で構成される回路ブロックを「回路ブロックＢ」と呼ぶ。
【００５０】
図５は、本実施形態に係る表示装置１のセンサ回路ブロックを示す図である。センサ回路ブロックは、複数画素×複数画素で構成され、１つの回路ブロックＡと複数の回路ブロックＢとを含んでいる。このセンサ回路ブロックを「回路ブロックＣ」と呼ぶ。図５に示す回路ブロックＣでは、１個の回路ブロックＡと１５個の回路ブロックＢとで構成されている。即ち、１６個×１６個（＝２６５個）のＲＧＢ画素に対して１つのセンサ回路が配置されている。
【００５１】
なお、図５に示すセンサ回路ブロック（回路ブロックＣ）は概念図であり詳細の構成については記載していないが、回路ブロックＡにのみ使用される配線、例えば、センサ回路用の信号線などは、回路ブロックＢを横切って、回路ブロックＣの外に接続されることは言うまでもない。また、センサ回路（回路ブロックＡ）が配置される位置も図５に示す位置に限られない。回路ブロックＡが配置される位置によって、検知精度が低下したり、局所的な表示不良の原因ともなり得るので、１６個×１６個のＲＧＢ画素を単位とする回路ブロックＣごとに回路ブロックＡの配置位置を変更して、全体として不具合の無いように配置される。
【００５２】
また、回路ブロックＡ、Ｂ、Ｃの構成、サイズは液晶表示パネルＰＮＬの用途、表示部ＤＹＰのサイズにより異なることができる。本実施の形態では、回路ブロックＣとして２ｍｍ×２ｍｍ〜４ｍｍ×４ｍｍ（略３ｍｍ×３ｍｍ）のサイズを設定している。この範囲のサイズであれば、指による接触を少なくとも一個のブロックＣによって検出することができる。
【００５３】
図６は、本実施形態に係る表示装置１の表示部ＤＹＰと出力回路部ＯＣＴとの構成を示す図である。表示部ＤＹＰは、５０×３０個の回路ブロックＣを備えている。即ち。表示部ＤＹＰは、８００×４８０×ＲＧＢ画素の表示画面を構成する。
【００５４】
表示部ＤＹＰのサイズが、例えば、７型相当である場合、８００×４８０画素で構成されるＲＧＢ画素の一つのサイズは概略１９０μｍ□となるので、回路ブロックＣは概略３ｍｍ□（０．１９ｍｍ×１６≒３ｍｍ）である。なお、指などの被検出物のサイズが３ｍｍ□以下の場合、被検出物が一つの回路ブロックＣ内にある場合には、当該被検出物は、回路ブロックＣの中央にあるとして検出される。従って、被検出物が隣接する回路ブロックＣにまたがって位置移動する場合には、その動きを検出することは可能である。しかし、被検出物が回路ブロックＣ内で移動していることは原理的に検出不能である。回路ブロックＣのサイズを決定する際には、被検出物のサイズのみでなく、このような移動の検出についても考慮する必要がある。本実施の形態では、タッチパネル用途として、主として指の腹部分で、画面に表示された画像やボタン操作する場合を考慮して、回路ブロックＣのサイズを略３ｍｍ□と決定している。
【００５５】
図６に示す表示部ＤＹＰでは、縦に並んだ３０個の回路ブロックＣの読み出し線ＲＯＬは一つの信号線として共通に使用されるため、画面全体では、横方向に５０本の読み出し線ＲＯＬが並列に配置される。
【００５６】
センサ回路用の信号線（読み出しゲート線ＲＧ、カップリングパルス線ＣＰＬ、プリチャージゲート線ＰＧ）に供給される検知信号は、センサ駆動回路Ｙから供給される。そして、画面を走査して画像を表示する場合と同様に、検知信号も回路ブロックＣを単位として画面を走査して信号を検出する方式を採用する。
【００５７】
図６において、検知信号を外部回路（制御部６５）へ接続する出力回路部ＯＣＴには、４系統のパラシリ変換回路ＰＳＣ１〜ＰＳＣ４が配置されている。即ち、５０本の読み出し線ＲＯＬ１〜ＲＯＬ５０からの信号は、出力回路部ＯＣＴによって４本の検出信号線ＤＳＩＧ１〜ＤＳＩＧ４に出力される。
【００５８】
パラシリ変換回路は、複数本の並列（パラレル）で入力される読み出し線ＲＯＬの信号を、１本の検出信号線ＤＳＩＧに直列（シリーズ）の信号として出力するように変換する回路である。図６では、入力１２ｃｈを出力１ｃｈに変換するパラシリ変換回路と、入力１３ｃｈを出力１ｃｈに変換するパラシリ変換回路とが組み合わされて構成されている。図の左から、入力チャンネル数がそれぞれ１２ｃｈ、１３ｃｈ、１３ｃｈ、１２ｃｈのパラシリ変換回路ＰＳＣ１〜ＰＳＣ４が配置されている。
【００５９】
各パラシリ変換回路からは、所定のタイミングで１ｃｈ分の検出信号（容量信号）が順に出力される。即ち、パラシリ変換回路は最初の読み出し線ＲＯＬを選択して検出信号線ＤＳＩＧに出力し、以降は所定のサンプリング時間で、順に読み出し線ＲＯＬを選択して検出信号線ＤＳＩＧに出力する。
【００６０】
図７は、本実施形態に係る表示装置１の表示期間と検知期間の配分を示す図である。本実施の形態では、回路ブロックＣの構成で示したように１６行毎にセンサ回路を配置しているため、１６水平期間（Ｈ）を１セットとして考える。
【００６１】
センサが設けられていない場合には、１６Ｈで回路ブロックＣの表示が行われる。しかし、センサが設けられている場合は、この１６Ｈの時間内で回路ブロックＣでの表示〜検知までの一連の動作をする必要がある。図７には、たとえば、検知時間として、４水平期間が必要な場合、残りの１２水平期間で画像表示するケースを示している。さらに、検知動作を２回実施するような場合、検知時間として８水平周期が必要とるため、画面表示を８水平期間内に実施するケースを示している。
【００６２】
この検知期間はセンサ回路の設計における諸元、すなわちアレイ上のセンサ回路に設けたＴＦＴの抵抗、読み出し信号配線の抵抗値などによって決定される。また表示期間は画面サイズ（画素、信号線の負荷）、信号線駆動回路ＸＤに使用されるＩＣの能力などによって決定される。
【００６３】
図８は、本実施形態に係る表示装置１のセンサ駆動回路Ｙの構成を示す図である。この回路ブロック図は、センサ駆動回路Ｙの一部分を示している。
【００６４】
センサ駆動回路Ｙは上述のようにプリチャージゲート線ＰＧ、カップリングパルス線ＣＰＬ、読み出しゲート線ＲＧと接続して、それぞれプリチャージゲート信号、カップリングパルス信号、読み出しゲート信号をセンサ回路１２に供給する。図８では、これら３種の信号を区分せずに一括してセンサ制御用信号と記載している。従って、それぞれの信号についてこの図８の回路を構成して必要なタイミング信号を入力することで、３種類の制御信号を出力するセンサ駆動回路Ｙを構成することができる。
【００６５】
図８に示すセンサ駆動回路Ｙは、表示部ＤＹＰの奇数行に設けられた回路ブロックＣにセンサ制御信号（１，３，５・・・）を供給する奇数（ＯＤＤ）ドライバ回路と、表示部ＤＹＰの偶数行に設けられた回路ブロックＣにセンサ制御信号（２，４，６・・・）を供給する偶数（ＥＶＥＮ）ドライバ回路とを備えている。
【００６６】
奇数（ＯＤＤ）ドライバ回路は、奇数シフトレジスタＳＲ−Ｏ１、ＳＲ−Ｏ２、・・・が連結され、それぞれの奇数シフトレジスタＳＲ−Ｏ１、ＳＲ−Ｏ２、・・・の出力がセンサ制御信号（１，３，５・・・）を構成している。
【００６７】
そして、奇数シフトレジスタＳＲ−Ｏ１には、奇数シフトレジスタのスタート信号ＳＲ−Ｏと正極及び負極のクロック信号ＣＫ３２とが入力される。正極及び負極のクロック信号ＣＫ３２により、スタート信号ＳＲ−Ｏが順次出力側に送り出される。出力側に送り出されたスタート信号ＳＲ−Ｏは、タイミング信号Ｏのオンまたはオフに対応してセンサ制御信号１として出力される。なお、奇数シフトレジスタは、図８の右上に記載した表に従って動作する。
【００６８】
この図に示すように奇数シフトレジスタＳＲ−Ｏ１、ＳＲ−Ｏ２、・・・を連結することによって、画面の回路ブロックＣを１行ずつ選択走査動作するドライバ回路を構成することができる。
【００６９】
なお、偶数（ＥＶＥＮ）ドライバ回路も偶数シフトレジスタＳＲ−Ｅ１、ＳＲ−Ｅ２、・・・を用いて奇数（ＯＤＤ）ドライバ回路と同様に構成することができるため、その詳細は省略する。
【００７０】
また、それぞれのドライバ回路に入力するクロックＣＫ３２は、正負が反転しており、奇数番目と偶数番目のシフトレジスタを交互に駆動するように対応させることができる。
【００７１】
なお、ここで示した単一シフトレジスタと多段の組み合わせ例は、動作を説明するための一例であり、本提案に適用する構成として本例に限定されるものでは無い。
【００７２】
図９は、本実施形態に係る表示装置１の表示走査と検知走査の方法を説明するための図である。図９（１）は、表示走査の方法を示し、図９（２）は、検知走査の方法を示している。なお、検知動作が表示１６行（１ブロック）を１単位として画面走査するため、比較のため表示側の表記も１６行のブロック単位で記載している。
【００７３】
表示走査では、ブロックを構成する１６行が、信号線の選択動作を含んで順次走査される。この表示走査は、例えば図７に示す表示期間内に行われる。なお、図９では一番上のブロックを第一ブロック、順に第二ブロック、第三ブロック・・・と呼ぶ。そして、第一ブロックを選択している１６水平周期の期間を、第一期間とし、順に第二期間、第三期間・・・と呼ぶ。
【００７４】
検知走査では、第一期間において、第一ブロック内の検知動作を実行する。この検知走査は、例えば図７に示す検知期間内に行われる。
【００７５】
図９に示す走査方法は、表示、検知ともに１ブロック単位で行われ、順次、ブロック単位で画面走査が繰り返される方法であり、基本の走査動作を示している。
【００７６】
図１０は、本実施形態に係る表示装置１のセンサ駆動回路Ｙの動作を示すタイムチャートである。
【００７７】
第一期間では、奇数ドライバが動作する。奇数シフトレジスタＳＲ−Ｏ１には、初期状態として「１」が設定されている。まず、スタート信号ＳＲ−Ｏが「１」となり、続いて正極及び負極のクロック信号ＣＫ３２が入力される。これによって、出力ＳＲ−Ｏ１が「１」となる。この状態で、タイミング信号Ｏとしてパルス信号が入力されたタイミングで、センサ制御信号１が出力される。
【００７８】
ここで、正極及び負極のクロック信号ＣＫ３２は、第一期間中は保持されているため、例えば、偶数ドライバが動作することが防止されている。また、他の奇数シフトレジスタＳＲ−Ｏ２、−Ｏ３、・・・には、初期状態として「０」が設定されているため、この状態で出力ＳＲ−Ｏ２、−Ｏ３が「１」となることはない。
【００７９】
第二期間では、偶数ドライバが動作する。偶数シフトレジスタＳＲ−Ｅ１には、初期状態として「１」が設定されている。まず、スタート信号ＳＲ−Ｅが「１」となり、続いて第一期間と極性の逆転した正極及び負極のクロック信号ＣＫ３２が入力される。これによって、出力ＳＲ−Ｅ１が「１」となる。この状態で、タイミング信号Ｅとしてパルス信号が入力されたタイミングで、センサ制御信号２が出力される。
【００８０】
ここで、正極及び負極のクロック信号ＣＫ３２は、第二期間中は保持されているため、例えば、奇数ドライバが動作することが防止されている。また、偶数シフトレジスタＳＲ−Ｅ２、−Ｅ３、・・・には、初期状態として「０」が設定されているため、この状態で出力ＳＲ−Ｅ２、−Ｅ３が「１」となることはない。
【００８１】
第三期間では、スタート信号ＳＲ−Ｏが「０」となり、続いて正極及び負極のクロック信号ＣＫ３２が入力される。これによって、出力ＳＲ−Ｏ１が「０」となる。一方、第一期間での出力ＳＲ−Ｏ１である「１」が入力されることによって出力ＳＲ−Ｏ２が「１」となる。この状態で、タイミング信号Ｏとしてパルス信号が入力されたタイミングで、センサ制御信号３が出力される。
【００８２】
以降、同様にしてタイミング信号Ｏ、タイミング信号Ｅが入力されるごとに各ブロックに対するセンサ制御信号が順次出力される。
【００８３】
上述のように、ベースとなるＣＫ３２とＣＫ３２バー（ＣＫ３２の反転の意）の入力を受け、奇数側、偶数側の各初段のシフトレジスタ（ＳＲ−Ｏ１、ＳＲ−Ｅ１）にスタートパルス（幅３２Ｈ）が入力される。初段のシフトレジスタの両出力は、ＣＫ３２に同期した幅３２Ｈのパルスが得られ、この出力が順次、次段の入力になっていく。このとき、必要なタイミングに所定のパルスが出力されるようにタイミング信号を入力する。タイミング信号は、シフトレジスタの出力と合成されて、各行のセンサ制御信号となる。すなわち、奇数側回路から、第一期間に１行目、第三期間に３行目・・・の制御信号が、偶数側回路から、第二期間に２行目、図示しない第四期間に４行目・・・の制御信号が、それぞれ出力される。
【００８４】
図１１は、本実施形態に係る表示装置１の表示と検知動作を示すタイミングチャートである。
【００８５】
このタイミングチャート中のロジック信号のＨレベルは１２〜１３Ｖ、Ｌレベルは−６〜−５Ｖとできる。なお、図には説明のためパルスを拡大している記載している部分があるため、縦軸や横軸は正確では無い。
【００８６】
図１０で説明したセンサ駆動回路Ｙの動作によって、表示部ＤＹＰにはプリチャージゲート信号ＰＧ１，２・・・、カップリングパルス信号ＣＰＬ１，２・・・、読み出しスイッチゲート信号ＲＧ１，２・・・が入力される。これらの駆動信号によって読み出し線ＲＯＬに検知信号が読み出される。この検知信号を読み出す動作は図２、図３を参照して説明しているため、再度の説明は省略する。
【００８７】
なお、読み出し線ＲＯＬへの書込み時間は、検知電極１２Ｅから増幅用スイッチＳＷＢ、読み出し用スイッチＳＷＣを介して読み出し線ＲＯＬに達する時定数によって設定する。読み出し線ＲＯＬへの書込み時間は、両ＴＦＴの抵抗（〜１００ｋΩ）や寄生容量（〜５０ｐＦ）および読み出し線ＲＯＬの抵抗（〜２ｋΩ）と寄生容量（〜１００ｐＦ）で決まる時定数に対し、１／２から２倍程度の時間に設定するのが良く、３倍を超えると電源電圧の飽和レベルに近づき、Ｖ１とＶ２の差が読み取れなくなるおそれがある。
【００８８】
また、読み出し線ＲＯＬの初期電位は、画像信号のセンター付近の電圧やコモン電位近傍の電圧あるいは信号処理回路で必要とする電圧に、図示しない切替スイッチを用いて、所定のタイミングで初期化すると良い。たとえば、仮に７Ｖに初期化とすると、読み出しゲート信号ＲＧのＯＮ期間経過後、概略９Ｖ程度にまで変化できる。
【００８９】
図１１に示すセンサ処理期間において、複数の読み出し線ＲＯＬからの検知信号は出力回路部ＯＣＴにおいてパラシリ変換されて１本の信号線ＤＳＩＧを介して読み出される。読み出された検知信号は、検出データとしてメモリに格納される。以降の処理は、表示装置のタイミングとは切り離して実施できるため、ここでは割愛する。
【００９０】
画像書込みは、センサ信号処理期間後、検出回路信号の読み出しが完了し、共用している信号線（ＳＬ、ＲＯＬ）を画像書込みに切り替えても問題が無いタイミングで、実施される。ここでは、検知期間を４Ｈ、画像書込み期間を１２Ｈとした場合を記載している。この画像書込み期間内（１２Ｈ）に１６行分の書込みを実施する。なお、この画像書込み期間には信号線ＳＬの選択動作などを含んでも良い。
【００９１】
書込みが完了後は、信号線ＳＬと読み出し線ＲＯＬとを切り替え、第二期間に移行できる状態を整える。以降、第一期間で説明した動作と同様の動作で、順次、ブロックを走査する。
【００９２】
[検知走査のバリエーション１]  
図１２は、本実施形態に係る表示装置１のバリエーション１の表示走査と検知走査の方法を説明するための図である。図１２（１）は、表示走査の方法を示し、図１２（２）は、検知走査の方法を示している。
【００９３】
表示走査では、図９と同様に、第一ブロックから順に走査している。このとき、検知走査では、第二期間に第三ブロックの検出を実施し、第三期間に第五ブロックの検出を実施する。即ち、検知走査では奇数番目のブロックを順に走査している。従って、この検知走査方法では、図９に示す検知走査の概略半分の時間で、画面全体を検知走査することができる。すなわち、画像全体を走査して表示する間に、２回の検知走査が可能になる。  
２回の検知走査を行う方法に関しては、たとえば、１回目に奇数行目を走査し２回目も同様に奇数行目を走査しても良く、１回目に奇数行目を走査し２回目は偶数行目を走査しても良く、またこの選択を交互に繰り返しても良い。
【００９４】
図１３は、本実施形態に係る表示装置１のバリエーション１のセンサ駆動回路Ｙの動作を示すタイムチャートである。図１３のベースとなるクロックは、高速化のため、図１０に記載のクロックの２倍の周波数である。そのため、クロック信号は、ＣＫ１６とＣＫ１６バーとして記載し、１６水平周期の制御信号であることを表している。
【００９５】
バリエーション１のタイムチャートでは奇数ドライバのみが動作する。  
第一期間において、奇数シフトレジスタＳＲ−Ｏ１には、初期状態として「１」が設定されている。まず、スタート信号ＳＲ−Ｏが「１」となり、続いて正極及び負極のクロック信号ＣＫ１６が入力される。これによって、出力ＳＲ−Ｏ１が「１」となる。この状態で、タイミング信号Ｏ（パルス信号）が入力されたタイミングで、センサ制御信号１が出力される。
【００９６】
第一期間の後半では、クロック信号ＣＫ１６の極性が逆転される。もしこの状態で、タイミング信号Ｅ（パルス信号）が入力されるとそのタイミングで、センサ制御信号２が出力される条件が成立するが、タイミング信号Ｅは入力されないためセンサ制御信号２は出力されない。
【００９７】
第二期間において、正極及び負極のクロック信号ＣＫ１６が入力される。これによって、出力ＳＲ−Ｏ２が「１」となる。この状態で、タイミング信号Ｏ（パルス信号）が入力されたタイミングで、センサ制御信号３が出力される。
【００９８】
以下同様にして、第三期間ではセンサ制御信号５が出力され、第四期間ではセンサ制御信号７が出力され、・・・、第Ｎ期間ではセンサ制御信号（２Ｎ−１）が出力される。
【００９９】
このように、クロック信号ＣＫ１６を１期間中に反転させ、奇数側のタイミング信号Ｏを毎期間ごとに入力し、偶数側のタイミング信号Ｅは入力しない。即ち、バリエーション１の走査方法では、偶数側のセンサ回路は動作させていない。
【０１００】
図１４は、本実施形態のバリエーション１に係る表示装置１の表示と検知動作を示すタイミングチャートである。
【０１０１】
第一期間では、画像書込み動作をしているブロックと、検知動作しているブロックが同じである。しかし、第二期間以降の期間では、図１１に示すタイミングチャートと異なり、画像書込み動作をしているブロックと、検知動作しているブロックが異なっている。さらに、偶数ブロックでは映像書込みのみが実行され、奇数ブロックではセンサ処理と映像書込みとが実行される。
【０１０２】
なお、バリエーション１では、センサ処理は一行おきのブロックについて実行されたが、この形態に限定されず、一定の間隔ごとのブロックについて実行しても良い。この際、検知動作の対象であるブロック行は、画像書込み動作の対象であるブロック行から所定の演算によって求めることができる。
【０１０３】
[検知走査のバリエーション２]  
図１５は、本実施形態に係る表示装置１のバリエーション２の表示走査と検知走査の方法を説明するための図である。図１５（１）は、表示走査の方法を示し、図１５（２）は、検知走査の方法を示している。
【０１０４】
表示走査では、図９と同様に、第一ブロックから順に走査している。このとき、検知走査では、第一期間に第一ブロック及び第二ブロックの検出を実施し、第二期間に第三ブロック及び第四ブロックの検出を実施する。即ち、検知走査では２つのブロックを順に走査している。従って、この検知走査方法では、図９に示す検知走査の概略半分の時間で、画面全体を検知走査することができる。すなわち、画像全体を走査して表示する間に、２回の検知走査が可能になる。  
図１６は、本実施形態に係る表示装置１のバリエーション２のセンサ駆動回路Ｙの動作を示すタイムチャートである。図１６のベースとなるクロックは、高速化のため、図１０に記載のクロックの２倍の周波数である。そのため、クロック信号は、ＣＫ１６とＣＫ１６バーとして記載し、１６水平周期の制御信号であることを表している。
【０１０５】
第一期間において、奇数シフトレジスタＳＲ−Ｏ１には、初期状態として「１」が設定されている。また、偶数シフトレジスタＳＲ−Ｅ１には、初期状態として「１」が設定されている。
【０１０６】
まず、スタート信号ＳＲ−Ｏが「１」となり、続いて正極及び負極のクロック信号ＣＫ１６が入力される。これによって、出力ＳＲ−Ｏ１が「１」となる。この状態で、タイミング信号Ｏ（パルス信号）が入力されたタイミングで、センサ制御信号１が出力される。
【０１０７】
また、同じタイミングでスタート信号ＳＲ−Ｅが「１」となり、続いて正極及び負極のクロック信号ＣＫ１６が入力される。これによって、出力ＳＲ−Ｅ１が「１」となる。この状態で、タイミング信号Ｅ（パルス信号）が入力されたタイミングで、センサ制御信号２が出力される。
【０１０８】
以下同様にして、第二期間ではセンサ制御信号３、４が出力され、第三期間ではセンサ制御信号５，６が出力され、・・・、第Ｎ期間ではセンサ制御信号（２Ｎ−１）、２Ｎが出力される。
【０１０９】
このように、バリエーション２では、奇数行目と偶数行目とが同様のタイミングでタイミング信号のパルスが出力されており、２行同時に選択されて検知されることになる。  
なお、同時選択の場合には、検知電極を２行分加算したデータに相当するため、実効的に縦方向の位置精度が低下することになる。しかしながら、図１２に示したようにデータを間引く場合に比べると、全領域が検出対象となるため、取りこぼしによる不具合を抑制できる。
【０１１０】
図１７は、本実施形態のバリエーション２に係る表示装置１の表示と検知動作を示すタイミングチャートである。
【０１１１】
第一期間では、画像書込み動作は第一ブロックについて行われ、検知動作は第一ブロック及び第二ブロックについて行われる。第二期間では、画像書込み動作は第二ブロックについて行われ、検知動作は第三ブロック及び第四ブロックについて行われる。以降、第Ｎ期間では、画像書込み動作は第Ｎブロックについて行われ、検知動作は第（２Ｎ−１）ブロック及び第（２Ｎ）ブロックについて行われる。
【０１１２】
なお、バリエーション２では、センサ処理は二行のブロックについて実行されたが、この形態に限定されず、複数行のブロックについて実行しても良い。この際、検知動作の対象であるブロック行は、画像書込み動作の対象であるブロック行から所定の演算によって求めることができる。
【０１１３】
[検知走査のバリエーション３]  
図１８は、本実施形態に係る表示装置１のバリエーション３の表示走査と検知走査の方法を説明するための図である。図１８（１）は、表示走査の方法を示し、図１８（２）は、検知走査の方法を示している。
【０１１４】
表示走査では、図９と同様に、第一ブロックから順に走査している。このとき、検知走査では、第一期間に第一ブロック及び第二ブロックの検出を実施し、第二期間に第三ブロック及び第四ブロックの検出を実施する。即ち、バリエーション３の走査方法は、図１５に示すバリエーション２の走査方法と同じである。但し、それを実現する方法が異なっている。
【０１１５】
図１９は、本実施形態に係る表示装置１のバリエーション３のセンサ駆動回路Ｙの動作を示すタイムチャートである。図１９のベースとなるクロックは、高速化のため、図１０に記載のクロックの２倍の周波数である。そのため、クロック信号は、ＣＫ１６とＣＫ１６バーとして記載し、１６水平周期の制御信号であることを表している。
【０１１６】
第一期間において、奇数シフトレジスタＳＲ−Ｏ１には、初期状態として「１」が設定されている。また、偶数シフトレジスタＳＲ−Ｅ１には、初期状態として「１」が設定されている。
【０１１７】
まず、スタート信号ＳＲ−Ｏが「１」となり、続いて正極及び負極のクロック信号ＣＫ１６が入力される。これによって、出力ＳＲ−Ｏ１が「１」となる。この状態で、タイミング信号Ｏ（パルス信号）が入力されたタイミングで、センサ制御信号１が出力される。
【０１１８】
また、同じタイミングでスタート信号ＳＲ−Ｅが「１」となり、続いて正極及び負極のクロック信号ＣＫ１６が入力される。これによって、出力ＳＲ−Ｅ１が「１」となる。この状態で、タイミング信号Ｏが入力された後所定のタイミングでタイミング信号Ｅが入力される。タイミング信号Ｅ（パルス信号）が入力されたタイミングで、センサ制御信号２が出力される。
【０１１９】
以下同様にして、第二期間ではセンサ制御信号３、４が出力され、第三期間ではセンサ制御信号５，６が出力され、・・・、第Ｎ期間ではセンサ制御信号（２Ｎ−１）、２Ｎが出力される。
【０１２０】
このように、バリエーション３では、奇数行目と偶数行目とが所定時間ずれたタイミングでタイミング信号のパルスが出力されており、２行が同じ期間内でずれて選択されて検知されることになる。  
なお、信号線ＳＬと読み出し線ＲＯＬとを切り替えて処理するように構成されているため、図７に例示するように、検知期間を２つに区分して前半と後半とで奇数行目と偶数行目との読み出し信号が処理される。
【０１２１】
図２０は、本実施形態のバリエーション３に係る表示装置１の表示と検知動作を示すタイミングチャートである。
【０１２２】
第一期間では、画像書込み動作は第一ブロックについて行われる。検知動作は第一ブロックについて行われ続いて第二ブロックについて行われる。第二期間では、画像書込み動作は第二ブロックについて行われる。検知動作は第三ブロックについて行われ続いて第四ブロックについて行われる。以降、第Ｎ期間では、画像書込み動作は第Ｎブロックについて行われる。検知動作は第（２Ｎ−１）ブロックについて行われ続いて第（２Ｎ）ブロックについて行われる。
【０１２３】
なお、バリエーション３の方式は、各検査回路からの出力を独立したデータとして扱うことができるため、バリエーション２の方式と比較すると、位置精度は良い。バリエーション３の方式は、画像表示時間を短くできる場合、すなわち画像書き込み用のドライバＩＣの書き込み能力が十分ある場合、に有効である。ただし、画像書込みと検出データの処理を高速化するため、消費電力が増加する可能性があるので、高速かつ高精度の検出が必要な場合に、こうした設定にするなど、切り替えて使用することが有効である。
【０１２４】
なお、バリエーション３では、センサ処理は二行のブロックについて実行されたが、この形態に限定されず、複数行のブロックについて実行しても良い。この際、検知動作の対象であるブロック行は、画像書込み動作の対象であるブロック行から所定の演算によって求めることができる。
【０１２５】
以上説明した実施の形態の方式では、あらかじめ検査回路用のセンサ駆動回路Ｙを奇数行用回路と偶数行用回路とで構成し、タイミングコントローラＴＣＯＮの制御のもとでドライバ回路の制御信号を切り替えることによって、検出行の間引き、複数行の同時検出、検出する速度の変更が可能となる。従って、画面走査よりも早い走査での接触検出走査ができ、高速での繰り返し入力に対応できる検出機能つきの表示装置を実現できる。更に、利用者、利用する環境、用途に応じて、検知方式を切り替えることができ、検出機能付きの表示装置の用途をより拡大することが期待できる。
【０１２６】
[本実施の形態のバリエーション]  
上述の実施の形態は、更に種々のバリエーションの形態として構成することができる。
【０１２７】
（１）上述の実施の形態においては、センサ動作は、各センサ・表示動作繰り返し単位の前半に行われたが、各センサ・表示動作繰り返し単位の後半に実行しても良い。
【０１２８】
（２）上述の実施の形態においては、アクティブ型のセンサ回路を有するタッチパネルについて説明したが、アクティブ型のセンサ回路は上述の構成に限られない。またパッシブ型のセンサ回路を有するタッチパネルについても同様に適用することができる。
【０１２９】
（３）上記実施形態に係る表示装置１は、ＴＮ(Twisted Nematic)モード、ＩＰＳモード、ＯＣＢ(Optically Compensated Bend)モード等の表示モードを採用する液晶表示装置であってもよい。
【０１３０】
（４）上記実施形態に係る表示装置は、カラー表示タイプ、白黒表示タイプの表示装置にも適用可能である。
【０１３１】
（５）センサ回路１２は、読み出し用スイッチＳＷＣおよび読み出しゲート線ＲＧを省略してもよい。その場合には、増幅用スイッチＳＷＢのドレイン電極と読み出し線ＲＯＬとが電気的に接続される。
【０１３２】
（６）カップリングパルスはゲート線ＧＬから供給しなくても良く、例えば信号線ＳＬと並行した配線を追加してカップリングパルス線としても良い。
【０１３３】
（７）なお、タイミングコントローラＴＣＯＮは、回路基板６０に設けられる態様に限られず、外部に設けられても良く、ＴＦＴ基板上に設けられても良い。
【０１３４】
（８）増幅用スイッチＳＷＢは、実施の形態に限られず増幅器（アンプ）を用いて構成しても良い。
【０１３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３６】
ＰＮＬ…液晶表示パネル、ＤＹＰ…表示部、ＹＤ…走査線駆動回路、Ｙ…センサ駆動回路、ＸＤ…信号線駆動回路、ＬＱ…液晶層、ＰＥ…画素電極、ＣＥ…共通電極、ＧＬ…ゲート線、ＳＬ…信号線、ＰＸ…液晶画素、ＣＰＬ…カップリングパルス線、ＰＧ…プリチャージゲート線、ＲＧ…読み出しゲート線、ＰＲＬ…プリチャージ線、ＲＯＬ…読み出し線、ＯＣＴ…出力回路部、ＴＣＯＮ…タイミングコントローラ、ＳＷＡ…プリチャージスイッチ、ＳＷＢ…増幅用スイッチ、ＳＷＣ…読み出し用スイッチ、ＳＷＰ…画素スイッチ、Ａ…回路ブロック、Ｂ…回路ブロック、Ｃ…回路ブロック、ＤＳＩＧ…検出信号線、ＰＳＣ…パラシリ変換回路。
【図１】
2014010762.tif 000003
【図２】
2014010762.tif 000004
【図３】
2014010762.tif 000005
【図４】
2014010762.tif 000006
【図５】
2014010762.tif 000007
【図６】
2014010762.tif 000008
【図７】
2014010762.tif 000009
【図８】
2014010762.tif 000010
【図９】
2014010762.tif 000011
【図１０】
2014010762.tif 000012
【図１１】
2014010762.tif 000013
【図１２】
2014010762.tif 000014
【図１３】
2014010762.tif 000015
【図１４】
2014010762.tif 000016
【図１５】
2014010762.tif 000017
【図１６】
2014010762.tif 000018
【図１７】
2014010762.tif 000019
【図１８】
2014010762.tif 000020
【図１９】
2014010762.tif 000021
【図２０】
2014010762.tif 000022